(57)【特許請求の範囲】
【請求項１】
複数の発光管部を備える光源の周囲を反射鏡で覆っている照明器具において、前記光源の軸方向を前記反射鏡による照射方向と交差するように横に配置するとともに、前記光源の光を所定の方向に反射する補助反射鏡を有し、一対の前記発光管部の隙間で前記一対の発光管部の並び方向と直交する方向の中心線に平行な前記発光管部の前記隙間に隣接する一対の接線が前記補助反射鏡に交差しないように、前記光源を配置したことを特徴とする照明器具。
【請求項２】
複数の発光管部を備える光源の周囲を反射鏡で覆っている照明器具において、前記光源の軸方向を前記反射鏡による照射方向と交差するように横に配置するとともに、前記光源の光を所定の方向に反射する補助反射鏡を有し、一対の前記発光管部の隙間で前記一対の発光管部の並び方向と直交する方向の中心線に平行な前記発光管部の前記隙間に隣接する一対の接線上の光線の前記補助反射鏡による反射光が前記光源の前記反射鏡へ反射しない直接光の照射範囲となるように、前記光源を配置したことを特徴とする照明器具。
【発明の詳細な説明】
【０００１】
【発明の属する技術分野】
この発明は、照明器具に関するものである。
【０００２】
【従来の技術】
世の中の照明器具への要求は省エネルギーである。この省エネルギーを実現するためには、照明器具は高効率でなければならない。したがって、高効率ランプを使用し、高効率反射板を採用することで、高効率な照明器具が実現できる。
【０００３】
照明器具の反射板設計において、ランプの光を目的の場所へ制御するためには、正反射率の高い拡散反射率の低い表面処理が望ましい。また、グレアが重視される天井埋込型のダウンライトの反射板では拡散反射率の低い表面処理が要求される。反射板を高反射率で拡散反射率の低い表面処理にするために、アルミ蒸着や銀蒸着等により鏡面仕上げをすることになる。
【０００４】
コンパクト形蛍光灯のような多灯管を備え、高輝度のランプをアルミ蒸着や銀蒸着等により鏡面仕上げをした反射板で使用した場合、ランプの管は高輝度でランプの管と管の間からは光が出ないために照射面に筋が生じる。その筋は、ウォールウォッシャ用で壁面に照射する場合など、特に白系の照射面においてはその筋が問題となる。細径の管ほど筋の見え方が顕著になる。
【０００５】
そのため照射物がなく、空間の平面を照射する場合は、その筋がない高効率でグレアレスな照明器具が必要となる。
【０００６】
図６２から図６４は、多灯管１００を備えるコンパクト形蛍光灯用ダウンライト１０１で、反射板１０２の仕上げは鏡面仕上げとなっており、反射板１０２の形状は軸対称形状になっている。１０５は天井取付具である。
【０００７】
図６５から図６７は、それに補助反射鏡１０３を備えるウォールウォッシャ型でのダウンライト１０４ある。
【０００８】
多灯管１００の管と管の間は一部接続されているが、ほとんどが隙間Ｈとなっている。
【０００９】
【発明が解決しようとする課題】
多灯管１００を備えるコンパクト形蛍光灯は、一本の管各々が一般の直管蛍光灯に比べて細径で高輝度である。管と管の間からは当然のことながら光が出ない。上記したように、放射状に配置されるランプの管と管の間がランプの断面を貫通するように重なる方向からは全く光は出ない。アルミ蒸着や銀蒸着等により高い正反射率で拡散反射率が低い鏡面仕上げをした反射板１０２を備え、多灯管１００を備えるコンパクト形蛍光灯を使用した照明器具の場合、上記の光が出ないランプの管と管の間が照射面に筋となって生じる。
【００１０】
原因は、反射板が高い正反射率で拡散反射率が低い鏡面仕上げのため、ランプの管と管の間の光が全くでない部分が正反射されて図６４（ｂ）に示すように照度が低い筋１０８として照射面１０９に照射されるためである。その筋１０８は、照射物がなく、空間の平面を照射する場合は、問題となる。
【００１１】
図６４の場合はランプの管と管の間の光が全くでない部分が６方向あり、照射面１０９には放射状に６本の筋１０８となって現れる。
【００１２】
特にウォールウォッシャ用で補助反射板１０３で壁面方向に照射する場合は、補助反射板１０３に反射した照度が低い筋１０８が壁面１１０に発生する。壁面１１０は人の視線に近い位置であるので非常に視覚的にわかりやすい。
【００１３】
したがって、この発明の目的は、照度の低い筋が現れないようにすることができる照明器具を提供することである。
【００１４】
【課題を解決するための手段】
請求項１記載の照明器具は、複数の発光管部を備える光源の周囲を反射鏡で覆っている照明器具において、前記光源の軸方向を前記反射鏡による照射方向と交差するように横に配置するとともに、前記光源の光を所定の方向に反射する補助反射鏡を有し、一対の前記発光管部の隙間で前記一対の発光管部の並び方向と直交する方向の中心線に平行な前記発光管部の前記隙間に隣接する一対の接線が前記補助反射鏡に交差しないように、前記光源を配置したことを特徴とするものである。
【００１５】
請求項１記載の照明器具によれば、アルミ蒸着や銀蒸着等により高い正反射率で拡散反射率が低い鏡面仕上げをした反射板を備え、多灯管を備えるコンパクト形蛍光灯を使用した照明器具の場合でも、補助反射板により、光が出ないランプの管と管の間が照射面に筋となって生じることが低滅できる。また人の視線に近い位置であるため非常に視覚的にわかりやすい壁面を照明する場合も、光が出ないランプの管と管の間が照射面に筋となって生じることが低滅できる。さらに従来はランプからの反射光でランプに返っていた光がランプ管と管の間を通過するので器具効率が向上する。
【００４６】
請求項２記載の照明器具は、複数の発光管部を備える光源の周囲を反射鏡で覆っている照明器具において、前記光源の軸方向を前記反射鏡による照射方向と交差するように横に配置するとともに、前記光源の光を所定の方向に反射する補助反射鏡を有し、一対の前記発光管部の隙間で前記一対の発光管部の並び方向と直交する方向の中心線に平行な前記発光管部の前記隙間に隣接する一対の接線上の光線の前記補助反射鏡による反射光が前記光源の前記反射鏡へ反射しない直接光の照射範囲となるように、前記光源を配置したことを特徴とするものである。
【００４７】
請求項２記載の照明器具によれば、請求項１と同様な効果がある。
【００６０】
【発明の実施の形態】
この発明の第１の実施の形態を図１から図４に示す。この照明器具は、軸対称の反射板の軸にコンパクト形蛍光灯を配置したランプ縦形照明器具の場合である。１は複数の発光管部１ａ〜１ｆを備える光源であり、実施の形態では発光管部の一対でＵ字形管をなす片口金蛍光ランプであり、各管端部が保持体のランプ中心Ｐの周りに環状に配置されている。２は光源１の周囲を覆う反射鏡で、実施の形態では例えば開口側が漸次拡径するラッパ形であり、かつ２段に形成されている。３は補助反射面であり、反射鏡２の反射面に、これに対向する前記発光管部の少なくとも光の一部を、複数の発光管部１ａ〜１ｆ間から光源１の外方へ反射させる。４はランプソケット、５は反射鏡取付ばね、６は器具本体、７は点灯装置、８は天井取付具、９は埋込穴、１０は天井板である。
【００６１】
反射鏡２は上記したように軸対称のラッパ形であり、図３および図４に示すように、補助反射面３は発光管部１ａ〜１ｆの軸方向、この場合反射鏡２の反射面の軸方向に平行に延びる断面山形の突条である。この突条の反射鏡２の反射面に連続する裾部は、横断面における一対の発光管部例えば１ｄ、１ｃ間の隙間Ｈを通り、発光管部１ｄ、１ｃの並び方向と直交する方向の中心線Ｌ０に平行な発光管部１ｄの隙間Ｈに隣接する接線Ｌ１が反射面と交差する点Ａ１である。裾部のもう一方は発光管部１ｃに関して隙間Ｈに隣接する接線との交点Ｃ１である。そして突条の頂点は、点Ａ１を通る発光管１ｄの他の側の接線Ｌ２との間の中線Ｌ３（したがって接線Ｌ１、Ｌ２から等角度）の垂線Ｌ４が中心線Ｌ０と交差する点Ｂ１および中心線Ｌ０に関して対称な点Ｃ１である。突条の斜線は垂線Ｌ４上の直線Ａ１Ｂ１とＢ１Ｃ１である。
【００６２】
光源１には隙間Ｈが６個あるため、６筋の補助反射面３が反射鏡２の反射面に形成される。
【００６３】
この結果、図４に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【００６４】
この発明の第２の実施の形態を図５および図６に示す。第１の実施の形態において、補助反射面の構成が異なる。すなわち、補助反射面３が突条である点は共通するが、頂部は横断面における一対の発光管部例えば１ｃ、１ｄ間の隙間Ｈを通り、発光管部１ｃ、１ｄの並び方向と直交する方向の中心線Ｌ０上の反射面よりも内側の点Ａ２であり、突条の反射面に連続する裾部は、中心線Ｌ０と点Ａ２を通り発光管部１ｃ、１ｄの隙間Ｈに隣接する接線Ｌ５との間の中線Ｌ６の点Ａ２を通る垂線Ｌ７が反射面と交差する点Ｂ２および中心線Ｌ０に関して対称な点Ｃ２としている。
【００６５】
光源１には隙間Ｈが６個あるため、６筋の補助反射面３が反射鏡２の反射面に形成される。
【００６６】
この結果、図６に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【００６７】
この発明の第３の実施の形態を図７および図８に示す。第１の実施の形態において、補助反射面の構成が異なる。すなわち、補助反射面３が突条である点は共通するが、この突条２の反射面に連続する裾部は、横断面における一対の発光管部１ｃ、１ｄ間の隙間Ｈを通り、発光管部１ｃ、１ｄの並び方向と直交する方向の中心線Ｌ０に平行な発光管部１ｃ、１ｄの隙間Ｈに隣接する接線Ｌ８が反射面と交差する点Ａ３および中心線Ｌ０に対して対称な点Ｃ３である。突条２の頂点は、点Ａ３を通る発光管部１ｃの管中心に至る線Ｌ９と接線Ｌ８との中線Ｌ１０の点Ａ３を通る垂線Ｌ１１と中心線Ｌ０との交点Ｂ３である。突条２の斜面は点Ａ３、Ｂ３を結ぶ直線および点Ｂ３、Ｃ３を結ぶ直線である。
【００６８】
光源１には隙間Ｈが６個あるため、６筋の補助反射面３が反射鏡２の反射面に形成される。
【００６９】
この結果、図８に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【００７０】
突条の傾斜は第１の実施の形態と第２の実施の形態の間となるので、必ず発光管部１ａ〜１ｆの管の光が管と管の間に通る。また第１の実施の形態、第２の実施の形態および第３の実施の形態の中では、第３の実施の形態が発光管部の一番輝度が高い部分の光が管と管の間に通るので一番効果がある。
【００７１】
この発明の第４の実施の形態を図９および図１０に示す。第１の実施の形態において、補助反射面の構成が異なる。すなわち、補助反射面３が突条である点は共通するが、この突条の反射面に連続する裾部は、横断面における一対の発光管部１ｃ、１ｄ間の隙間Ｈを通り、発光管部１ｃ、１ｄの並び方向と直交する方向の中心線Ｌ０に対してランプ中心Ｐを通る隙間Ｈに隣接する接線Ｌ１２が反射面と交差する点Ａ４および中心線Ｌ０に対して対称な点Ｃ４である。突条の頂点は、点Ａ４を通る発光管部の接線Ｌ１２と発光管部の他方の接線Ｌ１３との中線Ｌ１４の点Ａ４を通る垂線Ｌ１５と中心線Ｌ０との交点Ｂ４である。突条の斜面は点Ａ４、Ｂ４を結ぶ直線および点Ｂ４、Ｃ４を結ぶ直線である。
【００７２】
光源１には隙間Ｈが６個あるため、６筋の補助反射面３が反射鏡２の反射面に形成される。
【００７３】
この結果、図１０に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【００７４】
この発明の第５の実施の形態を図１１および図１２に示す。第１の実施の形態において、補助反射面の構成が異なる。すなわち、補助反射面３は反射鏡２の反射面の軸方向に平行に延びる断面山形の凹条である。この凹条の反射面に連続する裾部は、横断面における一対の発光管部１ｃ、１ｄ間の隙間Ｈを通り、発光管部１ｃ、１ｄの並び方向と直交する方向の中心線Ｌ０に平行な一方の発光管部の隙間Ｈに隣接する接線Ｌ１６が反射面と交差する点Ａ５および中心線Ｌ０に対して対称な点Ｃ５である。凹条の頂点は、点（Ａ５）を通る一方の前記発光管部の前記接線（Ｌ１６）と他方の前記発光管部の前記隙間（Ｈ）に隣接する接線（Ｌ１７）との中線（Ｌ１８）の前記点（Ａ５）を通る垂線（Ｌ１９）と前記中心線（Ｌ０）との交点（Ｂ５）である。凹条の斜面は点Ａ５、Ｂ５を結ぶ直線および点Ｂ５、Ｃ５を結ぶ直線である。
【００７５】
光源１には隙間Ｈが６個あるため、６筋の補助反射面３が反射鏡２の反射面に形成される。
【００７６】
この結果、図１２に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【００７７】
この発明の第６の実施の形態を図１３および図１４に示す。第１の実施の形態において、補助反射面の構成が異なる。すなわち、補助反射面３は反射鏡２の反射面の軸方向に平行に延びる断面山形の凹条である。この凹条の頂点Ａ６は横断面における一対の発光管部１ｃ、１ｄ間の隙間Ｈを通り、発光管部１ｃ、１ｄの並び方向と直交する方向の中心線Ｌ０上で反射面よりも光源１と反対側すなわち外側にある。反射面に連続する裾部は、頂点Ａ６を通る、発光管部１ｄの隙間Ｈと反対側の接線Ｌ２０と中心線Ｌ０との中線Ｌ２１の点Ａ６を通る垂線Ｌ２２と反射面との交点Ｂ６および中心線Ｌ０に対して交点Ｂ６と対称な点Ｃ６である。凹条の斜面は点Ａ６、Ｂ６を結ぶ直線および点Ｂ６、Ｃ６を結ぶ直線である。
【００７８】
光源１には隙間Ｈが６個あるため、６筋の補助反射面３が反射鏡２の反射面に形成される。
【００７９】
この結果、図１４に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【００８０】
この発明の第７の実施の形態を図１５および図１６に示す。第１の実施の形態において、補助反射面３の構成が異なる。すなわち、補助反射面３は反射鏡２の反射面の軸方向に平行に延びる断面山形の凹条である。この凹条の反射面に連続する裾部は、横断面における一対の発光管部１ｃ、１ｄ間の隙間Ｈを通り、発光管部１ｃ、１ｄの並び方向と直交する方向の中心線Ｌ０に平行な一方の発光管部１ｃの隙間Ｈに隣接する接線Ｌ２３が反射面と交差する点Ａ７および中心線Ｌ０に対して対称な点Ｃ７である。凹条の頂点は、点Ａ７と他方の発光管部１ｄの管中心を結ぶ線Ｌ２４と、接線Ｌ２３との中線Ｌ２５の点Ａ７を通る垂線Ｌ２６と、中心線Ｌ０との交点Ｂ７である。凹条の斜面は点Ａ７、Ｂ７を結ぶ直線および点Ｂ７、Ｃ７を結ぶ直線である。
【００８１】
光源１には隙間Ｈが６個あるため、６筋の補助反射面３が反射鏡２の反射面に形成される。
【００８２】
この結果、図１６に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【００８３】
直線の傾斜は第５の実施の形態と第６の実施の形態の間となるので、必ず発光管部の光が管と管の間に通る。また第５の実施の形態から第７の実施の形態の中では、第７の実施の形態が発光管部の一番輝度が高い部分の光が管と管の間に通るので−番効果がある。
【００８４】
この発明の第８の実施の形態を図１７および図１８に示す。第１の実施の形態において、補助反射面３の構成が異なる。すなわち、補助反射面３は反射鏡２の反射面の軸方向に平行に延びる断面山形の凹条である。この凹条の反射面に連続する裾部は、横断面における一対の発光管部１ｃ、１ｄ間の隙間Ｈを通り、発光管部１ｃ、１ｄの並び方向と直交する方向の中心線Ｌ０に対して、ランプ中心Ｐを通る隙間Ｈに隣接する一方の発光管部１ｃの接線Ｌ２７が反射面と交差する点Ａ８および中心線Ｌ０に対して対称な点Ｃ８である。凹条の頂点は、点Ａ８を通る他方の発光管部１ｄの隙間Ｈに隣接する接線Ｌ２８と、接線Ｌ２７との中線Ｌ２９の点Ａ８を通る垂線Ｌ３０と、前記中心線（Ｌ０）との交点（Ｂ８）である。凹条の斜面は点Ａ８、Ｂ８を結ぶ直線および点Ｂ８、Ｃ８を結ぶ直線である。
【００８５】
光源１には隙間Ｈが６個あるため、６筋の補助反射面３が反射鏡２の反射面に形成される。
【００８６】
この結果、図１８に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【００８７】
この発明の第９の実施の形態を図１９および図２０に示す。第１の実施の形態において、補助反射面３の構成が異なる。すなわち、補助反射面３は反射鏡２の反射面の軸方向に平行に延びる断面山形の突条である点は共通するが、この突条の反射面に連続する裾部は、横断面における一対の発光管部１ｃ、１ｄ間の隙間Ｈを通り、発光管部１ｃ、１ｄの並び方向と直交する方向の中心線Ｌ０に平行な一方の発光管部１ｄの隙間Ｈに隣接する接線Ｌ３１が反射面と交差する点Ａ９および中心線Ｌ０に対して対称な点Ｃ９である。
【００８８】
突条の頂部は、点Ａ９を通る一方の発光管部１ｄの隙間Ｈと反対側の接線Ｌ３２と、接線Ｌ３１との中線Ｌ３３の、点Ａ９を通る垂線Ｌ３４を接線とし、点Ａ９で外側に接する円Ｒ１と中心線Ｌ０との交点Ｂ９である。円Ｒ１の曲率半径は中心線Ｌ０と点Ｂ９を通り一方の発光管部１ｄの隙間Ｈ側の接線Ｌ３５との中線が円Ｒ１の中心を通るように形成される。
【００８９】
点Ｂ９と点Ｃ９との間の円弧は、点Ｂ９と点Ａ９との間の円弧と中心線Ｌ０に対して対称に形成している。
【００９０】
光源１には隙間Ｈが６個あるため、６筋の補助反射面３が反射鏡２の反射面に形成される。
【００９１】
この結果、図２０に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【００９２】
この発明の第１０の実施の形態を図２１および図２２に示す。第１の実施の形態において、補助反射面３の構成が異なる。すなわち、補助反射面３は前記反射鏡の反射面の軸方向に平行に延びる断面山形の突条である点は共通するが、この突条の反射面に連続する裾部は、横断面における一対の発光管部１ｃ、１ｄ間の隙間Ｈを通り、発光管部１ｃ、１ｄの並び方向と直交する方向の中心線Ｌ０に対して、ランプ中心Ｐを通る隙間Ｈに隣接する一方の発光管部例えば１ｄの接線Ｌ３６が反射面と交差する点Ａ１０および中心線Ｌ０に対して対称な点Ｃ１０である。
【００９３】
突条の頂部は、点Ａ１０を通る一方の発光管部１ｄの隙間Ｈと反対側の接線Ｌ３７と、接線Ｌ３６との中線Ｌ３８の点Ａ１０を通る垂線Ｌ３９を接線とし、かつ点Ａ１０で外側に接する円Ｒ２と中心線Ｌ０との交点Ｂ１０である。
【００９４】
円Ｒ２の曲率半径は中心線Ｌ０と点Ｂ１０を通り一方の発光管部１ｄの隙間Ｈ側の接線Ｌ４０との中線が円Ｒ２の中心を通るように形成され、かつ点Ｂ１０と点Ｃ１０との間の円弧を、点Ｂ１０と点Ａ１０との間の円弧と中心線Ｌ０に対して対称に形成している。
【００９５】
光源１には隙間Ｈが６個あるため、６筋の補助反射面３が反射鏡２の反射面に形成される。
【００９６】
この結果、図２２に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【００９７】
この発明の第１１の実施の形態を図２３および図２４に示す。第１の実施の形態において、補助反射面３の構成が異なる。すなわち、補助反射面３は反射鏡２の反射面の軸方向に平行に延びる断面山形の凹条である。この凹条の反射面に連続する裾部は、横断面における一対の発光管部１ｃ、１ｄ間の隙間Ｈを通り、発光管部１ｃ、１ｄの並び方向と直交する方向の中心線Ｌ０に平行な一方の発光管部例えば１ｃの隙間Ｈに隣接する接線Ｌ４１が反射面と交差する点Ａ１１および中心線Ｌ０に対して対称な点（Ｃ１１）である。
【００９８】
突条の頂部は、点Ａ１１を通る一方の発光管部１ｃの隙間Ｈ側に隣接する接線Ｌ４１と、点Ａ１１を通る他方の発光管部１ｄの隙間Ｈに隣接する接線Ｌ４２の中線Ｌ４３の、点Ａ１１を通る垂線Ｌ４４を接線とし、点Ａ１１の外側に接する円Ｒ３の中心線Ｌ０との交点Ｂ１１である。
【００９９】
円Ｒ３の曲率半径は中心線Ｌ０と他方の発光管部の隙間Ｈと反対側の接線Ｌ４５との中線Ｌ４５′が円Ｒ３の中心を通るように形成される。
【０１００】
点Ｂ１１と点Ｃ１１との間の円弧は、点Ｂ１１と点Ａ１１との間の円弧と中心線Ｌ０に対して対称に形成している。
【０１０１】
光源１には隙間Ｈが６個あるため、６筋の補助反射面３が反射鏡２の反射面に形成される。
【０１０２】
この結果、図２４に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【０１０３】
この発明の第１２の実施の形態を図２５および図２６に示す。第１の実施の形態において、補助反射面３の構成が異なる。すなわち、補助反射面３は反射鏡２の反射面の軸方向に平行に延びる断面山形の凹条である。この凹条の反射面に連続する裾部は、横断面における一対の発光管部例えば１ｃ、１ｄ間の隙間Ｈを通り、発光管部１ｃ、１ｄの並び方向と直交する方向の中心線Ｌ０に対して、ランプ中心Ｐを通り隙間Ｈに隣接する一方の発光管部例えば１ｄの接線Ｌ４６が反射面と交差する点Ａ１２および中心線Ｌ０に対して対称な点Ｃ１２である。
【０１０４】
凹条の頂部は、点Ａ１２を通り一方の発光管部１ｄの隙間Ｈ側に隣接する接線Ｌ４６と、点Ａ１２を通り他方の発光管部１ｃの隙間Ｈに隣接する接線Ｌ４７の中線Ｌ４８の、点Ａ１２を通る垂線Ｌ４９を接線とし、点Ａ１２の外側に接する円Ｒ４の中心線Ｌ０との交点Ｂ１２である。
【０１０５】
円Ｒ４の曲率半径は、中心線Ｌ０と他方の発光管部１ｃの隙間Ｈと反対側の接線Ｌ５０との中線Ｌ５０′が円Ｒ４の中心を通るように形成される。
【０１０６】
点Ｂ１２と点Ｃ１２との間の円弧は、点Ｂ１２と点Ａ１２との間の円弧と、中心線Ｌ０に対して対称に形成している。
【０１０７】
光源１には隙間Ｈが６個あるため、６筋の補助反射面３が反射鏡２の反射面に形成される。
【０１０８】
この結果、図２６に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【０１０９】
この発明の第１３の実施の形態を図２７および図２８に示す。第１の実施の形態において、補助反射面３の構成が異なる。すなわち、補助反射面３は反射鏡２の反射面の軸方向に平行に延びる断面山形の突条である点は共通するが、この突条の反射面に連続する裾部は、横断面における一対の発光管部例えば１ｃ、１ｄ間の隙間Ｈを通り、発光管部１ｃ、１ｄの並び方向と直交する方向の中心線Ｌ０に平行な一方の発光管部１ｄの隙間Ｈに隣接する接線Ｌ５１が反射面と交差する点Ａ１３および中心線Ｌ０に対して対称な点Ｃ１３である。
【０１１０】
突条の頂部は、一方の発光管部の管１ｄの中心Ｘ１を焦点とし、管中心Ｘ１を通り中心線Ｌ０と平行な直線Ｌ５２を軸線として、点Ａ１３を通る放物線Ｐ１と中心線Ｌ０との交点Ｂ１３である。
【０１１１】
点Ｂ１３と点Ｃ１３との間の放物線を、点Ｂ１３と点Ａ１３との間の放物線と中心線Ｌ０に対して対称に形成している。
【０１１２】
光源１には隙間Ｈが６個あるため、６筋の補助反射面３が反射鏡２の反射面に形成される。
【０１１３】
この結果、図２８に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【０１１４】
この発明の第１４の実施の形態を図２９および図３０に示す。第１の実施の形態において、補助反射面３の構成が異なる。すなわち、補助反射面３は反射鏡２の反射面の軸方向に平行に延びる断面山形の凹条である。この凹条の反射面に連続する裾部は、横断面における一対の発光管部例えば１ｃ、１ｄ間の隙間Ｈを通り、発光管部１ｃ、１ｄの並び方向と直交する方向の中心線Ｌ０に平行な一方の発光管部１ｄの隙間Ｈに隣接する接線Ｌ５３が反射面と交差する点Ａ１４および中心線Ｌ０に対して対称な点Ｃ１４である。
【０１１５】
凹条の頂部は、他方の発光管部１ｃの管中心Ｘ２を焦点とし管中心Ｘ２を通り、中心線Ｌ０と平行な直線Ｌ５４を軸線として、点Ａ１４を通る放物線Ｐ２と中心線Ｌ０との交点Ｂ１４である。
【０１１６】
点Ｂ１４と点Ｃ１４との間の放物線を、点Ｂ１４と点Ａ１４との間の放物線と中心線Ｌ０に対して対称に形成している。
【０１１７】
光源１には隙間Ｈが６個あるため、６筋の補助反射面３が反射鏡２の反射面に形成される。
【０１１８】
この結果、図３０に示すように光源１の発光管１ｃ、１ｄからの光（矢印）が発光管１ｃ、１ｄの隙間Ｈに通り、反射鏡２を反射して照射面を照明するので、筋状の暗い部分が抑えられ、見えにくくなる。
【０１１９】
この発明の第１５の実施の形態を図３１から図３４に示す。すなわち、軸対称の反射板にコンパクト形蛍光灯を横に配置したランプ横形照明器具の場合である。複数の発光管部１ａ〜１ｆを備える光源１の周囲を反射鏡２で覆っている照明器具において、光源１の軸方向を反射鏡２による照射方向と例えば直角に交差するように横に配置している。
【０１２０】
実施の形態の主反射鏡２には光源１を挿通するための穴部３４と、主反射鏡２と別体に複数例えば２個の補助反射鏡３を配置するための２箇所の穴部３５ａ、３５ｂがあり、例えばつまみねじ３６などの固定具により器具本体６に固定されている。補助反射鏡３に反射した光は主反射鏡２の開口部２ａから下面へ照射されるように、主反射鏡２の外側から補助反射鏡３を配置し、補助反射鏡３は器具本体６に例えばねじ等の固定具３０により固定される。補助反射鏡３の構成は、主反射鏡２と別体であるほかは、第１の実施の形態で示した構成と同様である。この場合、第１の実施の形態の突条は各補助反射鏡３に１つずつ設けられ、それぞれ光源１の対向する一対の発光管部間の隙間Ｈとの関係において、補助反射鏡３の本体の反射面に形成される。一対の発光管部１ａ、１ｂまたは一対の発光管部１ｅ、１ｆからの光が補助反射鏡（板）３に反射してそれらの隙間Ｈに光Ｌが通り、開口部２ａより出射される。
【０１２１】
この発明の第１６の実施の形態を図３５に示す。第１５の実施の形態との相違点は補助反射鏡３の突条が第２の実施の形態で示した構成をもつもので、発光管部１ａ、１ｂ間または１ｅ、１ｆ間の隙間Ｈに光Ｌを反射する。その他は第１５の実施の形態と同様である。
【０１２２】
この発明の第１７の実施の形態を図３６に示す。第１５の実施の形態との相違点は補助反射鏡３の突条が第３の実施の形態で示した構成をもつもので、発光管部１ａ、１ｂ間または１ｅ、１ｆ間の隙間Ｈに光Ｌを反射する。その他は第１５の実施の形態と同様である。
【０１２３】
この場合の突条の直線の傾斜は第１５の実施の形態と第１６の実施の形態の間となるので、必ず発光管部間に光が通る。また第１５の実施の形態から第１７の実施の形態の中では、第１７の実施の形態が、発光管部の一番輝度が高い部分の光を隙間Ｈに通すので一番効果がある。
【０１２４】
この発明の第１８の実施の形態を図３７に示す。第１５の実施の形態との相違点は補助反射鏡３の突条が第４の実施の形態で示した構成をもつもので、発光管部１ａ、１ｂ間または１ｅ、１ｆ間の隙間Ｈに光Ｌを反射する。その他は第１５の実施の形態と同様である。
【０１２５】
この発明の第１９の実施の形態を図３８に示す。第１５の実施の形態との相違点は補助反射鏡３の突条が第５の実施の形態で示した構成をもつもので、発光管部１ａ、１ｂ間または１ｅ、１ｆ間の隙間Ｈに光Ｌを反射する。その他は第１５の実施の形態と同様である。
【０１２６】
この発明の第２０の実施の形態を図３９に示す。第１５の実施の形態との相違点は補助反射鏡３の凹条が第６の実施の形態で示した構成をもつもので、発光管部１ａ、１ｂ間または１ｅ、１ｆ間の隙間Ｈに光Ｌを反射する。その他は第１５の実施の形態と同様である。
【０１２７】
この発明の第２１の実施の形態を図４０に示す。第１５の実施の形態との相違点は補助反射鏡３の凹条が第７の実施の形態で示した構成をもつもので、発光管部１ａ、１ｂ間または１ｅ、１ｆ間の隙間Ｈに光Ｌを反射する。その他は第１５の実施の形態と同様である。
【０１２８】
この場合、凹条の直線の傾斜は第１９の実施の形態と第２０の実施の形態の間となるので、必ず発光管部の光が隙間Ｈに光が通る。また第１９の実施の形態から第２１の実施の形態の中では、第２１の実施の形態が放電管部の一番輝度が高い部分の光が隙間Ｈに通るので一番効果がある。
【０１２９】
この発明の第２２の実施の形態を図４１に示す。第１５の実施の形態との相違点は補助反射鏡３の凹条が第８の実施の形態で示した構成をもつもので、発光管部１ａ、１ｂ間または１ｅ、１ｆ間の隙間Ｈに光Ｌを反射する。その他は第１５の実施の形態と同様である。
【０１３０】
この発明の第２３の実施の形態を図４２に示す。第１５の実施の形態との相違点は補助反射鏡３の突条が第９の実施の形態で示した構成をもつもので、発光管部１ａ、１ｂ間または１ｅ、１ｆ間の隙間Ｈに光Ｌを反射する。その他は第１５の実施の形態と同様である。
【０１３１】
この発明の第２４の実施の形態を図４３に示す。第１５の実施の形態との相違点は補助反射鏡３の突条が第１０の実施の形態で示した構成をもつもので、発光管部１ａ、１ｂ間または１ｅ、１ｆ間の隙間Ｈに光Ｌを反射する。その他は第１５の実施の形態と同様である。
【０１３２】
この発明の第２５の実施の形態を図４４に示す。第１５の実施の形態との相違点は補助反射鏡３の凹条が第１１の実施の形態で示した構成をもつもので、発光管部１ａ、１ｂ間または１ｅ、１ｆ間の隙間Ｈに光Ｌを反射する。その他は第１５の実施の形態と同様である。
【０１３３】
この発明の第２６の実施の形態を図４５に示す。第１５の実施の形態との相違点は補助反射鏡３の凹条が第１２の実施の形態で示した構成をもつもので、発光管部１ａ、１ｂ間または１ｅ、１ｆ間の隙間Ｈに光Ｌを反射する。その他は第１５の実施の形態と同様である。
【０１３４】
この発明の第２７の実施の形態を図４６に示す。第１５の実施の形態との相違点は補助反射鏡３の突条が第１３の実施の形態で示した構成をもつもので、発光管部１ａ、１ｂ間または１ｅ、１ｆ間の隙間Ｈに光Ｌを反射する。その他は第１５の実施の形態と同様である。
【０１３５】
この発明の第２８の実施の形態を図４７に示す。第１５の実施の形態との相違点は補助反射鏡３の凹条が第１４の実施の形態で示した構成をもつもので、発光管部１ａ、１ｂ間または１ｅ、１ｆ間の隙間Ｈに光Ｌを反射する。その他は第１５の実施の形態と同様である。
【０１３６】
この発明の第２９の実施の形態を図４８および図４９に示す。複数の発光管部１Ａ〜１Ｆを備える光源１の周囲を反射鏡２で覆っている照明器具において、光源１の軸方向を反射鏡２による照射方向と交差するように横に配置する。また光源１の光を所定の方向に反射する補助反射鏡３を有し、一対の発光管部例えば１ｂ、１ｃの隙間Ｈで一対の発光管部１ｂ、１ｃの並び方向と直交する方向の中心線Ｌ０に平行な発光管部１ｂ、１ｃの隙間Ｈに隣接する一対の接線Ｌ５５、Ｌ５６が補助反射鏡３に交差しないように、光源１を配置している。
【０１３７】
実施の形態では、光源１を横に配置したウォールウォッシャ型照明器具である。反射鏡２に加えて補助反射鏡３を備え、補助反射鏡３は壁面に対して、ランプ直接光すなわち反射鏡２に反射しないで直接下面へ照射される光より上側を照射するように配置されている。反射鏡２には補助反射鏡３側に穴部４０があり、補助反射鏡２に反射した光は反射鏡２の穴部４０から下面へ照射されるように、反射鏡２の外側から補助反射鏡３を配置している。この補助反射鏡３は反射鏡２に固定具によって固定される。一方、光源１の複数の発光管部１ａ〜１ｆ間の隙間Ｈにおいて、発光管部の並び方向と直交する中心線ＬＯと平行にランプ中心方向のランプ管壁を結ぶ直線すなわち接線Ｌ５５とＬ５６が補助反射鏡３に交差せず、そのような光が補助反射鏡３に入射しないように光源１を配置した。その他図３１と共通する部分に同一符号を付している。
【０１３８】
この結果、発光管部１ａ〜１ｆ間の光が出ない隙間Ｈの部分が補助反射鏡３に入射し反射して壁面に照射されることがないため、壁面照射面に筋がでない。
【０１３９】
この発明の第３０の実施の形態を図５０および図５１に示す。複数の発光管部１a 〜１f を備える光源１の周囲を反射鏡２で覆っている照明器具において、光源１の軸方向を反射鏡２による照射方向と交差するように横に配置する。また光源１の光を所定の方向に反射する補助反射鏡３を有し、一対の発光管部例えば１ｂ、１ｃの隙間Ｈで一対の発光管部１ｂ、１ｃの並び方向と直交する方向の中心線に平行な、発光管部１ｂ、１ｃの隙間Ｈに隣接する一対の接線上の光線Ｌ５７、Ｌ５８の補助反射鏡３による反射光が光源１の反射鏡２へ反射しない直接光の照射範囲となるように、光源１を配置している。
【０１４０】
実施の形態では、光源１を横に配置したウォールウォッシャ型照明器具であり、反射鏡２と補助反射鏡３を備える。補助反射鏡３は壁面５０に対して、主に直接光すなわち反射鏡２に反射しないで直接下面へ照射される光の範囲Ｍより上側の範囲Ｎを照射するものである。反射鏡２には補助反射鏡３側に穴部４０があり、穴部４０を通して補助反射鏡３に反射した光は反射鏡２の穴部４０から下面へ照射されるように、反射鏡２の外側に補助反射鏡３を配置し、補助反射鏡３は反射鏡２に固定している。光源１の配置は光線Ｌ５７とＬ５８が補助反射鏡３に反射した反射角を水平線に対してαとする。光源１の反射鏡２へ反射しない直接光の照射角の水平線に対する最小角をβとする。このとき、α＞βである。
【０１４１】
この実施の形態では、発光管部間の光が出ない隙間Ｈが補助反射鏡３に反射して壁面５０に照射されるが、照射される壁面の位置が、光源１の直射光でも照射される範囲になる。よって、光源１の発光管部間の暗い筋は光源１の直射光に混ぜられるためにぼけ、目立たなくなる。
【０１４２】
この発明の第３１の実施の形態を図５２に示す。複数の発光管部１ａ〜１ｆを備える光源１の周囲を反射鏡で覆っている照明器具において、光源１は複数の発光管部１ａ〜１ｆの間の隙間を埋めるように、発光管部１ａ〜１ｆ間に介在物５５を有する。介在物５５は板状である。その他反射鏡、器具本体、補助反射鏡等は前述の実施の形態と同様である。
【０１４３】
この実施の形態では、例えば発光管部１ｃ、１ｄ間の介在物５５に発光管部１ｃ、１ｄからの光が反射するため光の暗い筋が出にくくなる。
【０１４４】
この発明の第３２の実施の形態を図５３および図５４に示す。第３１の実施の形態と異なる点は、介在物５５の外側面が断面山形の突条であることである。突条の頂部は、一対の発光管部例えば１ａ、１ｆ間を通り一対の発光管部１ａ、１ｆの並び方向と直角な方向の中心線Ｌ０上の任意の点Ａ１である。頂部から発光管部に連接する裾部への直線は、頂部から一方の発光管部１ａへの接線Ｌ１と中心線Ｌ０との中線Ｌ２の垂線Ｌ２およびこの垂線Ｌ２の中心線Ｌ０に対する対称な線Ｌ３′である。
【０１４５】
介在物５５は６個あり、これらすべて上記の構成である。発光管部１ａ〜１ｆからの光（矢印）が介在物５５の突条の表面を反射し、とくに接線に平行な入射光が中心線Ｌ０に平行に反射するため光の筋が照射面に出ない。
【０１４６】
この発明の第３３の実施の形態を図５５および図５６に示す。第３１の実施の形態と異なる点は、介在物５５の外側面が断面山形の凹条であることである。凹条の発光管部例えば１ａ、１ｆに連接する裾部は、一対の発光管部１ａ、１ｆ間を通り一対の発光管部１ａ、１ｆの並び方向と直角な方向の中心線Ｌ０と平行な任意の直線Ｌ４と一方の発光管部１ａとの交点Ａ２とする。
【０１４７】
凹条の頂部は、交点Ａ２から中心線Ｌ０に対して反対側の発光管部１ｆへの接線Ｌ５と直線Ｌ４との中線Ｌ６の交点Ａ２を通る垂線Ｌ７と中心線Ｌ０との交点Ｂ２である。
【０１４８】
凹条の斜面は、交点Ａ２、Ｂ２の間の垂線Ｌ７と中心線Ｌ０に対する対称な線に沿って形成される。
【０１４９】
介在物５５は６個であり、これらがすべて上記の構成である。発光管部１ａ〜１ｆからの光（矢印）が介在物５５の突条の表面を反射し、とくに接線に平行な入射光が中心線Ｌ０に平行に反射するため光の筋が照射面に出ない。
【０１５０】
この発明の第３４の実施の形態を図５７および図５８に示す。光源１は、発光管部を少なくとも偶数個、ここでは６個であるがＵ字形管を３本用いている。これらの発光管部１ａ〜１ｆをランプ中心Ｐの周りに環状に配列し、発光管部１ａ〜１ｆ間の隙間が重なる部分の一方の隙間、したがって１つ置きの隙間を介在物５５で埋めている。そして介在物５５の内外表面をそれぞれ断面山形の突条に形成している。突条の形状は第３２の実施の形態の形状を利用した。その他は第３２の実施の形態と同様である。
【０１５１】
図５８に示すように、介在物５５のある隙間の外側は介在物５５の外側表面の反射光によって、また介在物５５のない隙間はランプ中心Ｐに対して対称位置の隙間の介在物５５の内側表面の反射光によって、光の筋が照射面に出ない。
【０１５２】
この発明の第３５の実施の形態を図５９および図６０に示す。第３４の実施の形態と異なる点は介在物５５の内外の表面を凹条に形成したことである。この凹条は第３３の実施の形態の形状を利用した。
【０１５３】
第３４の実施の形態と同様に、介在物５５のない隙間部分は対角部の介在物５５の内面から反射した光がくることにより、光の筋が照射面に出ない。
【０１５４】
この発明の第３６の実施の形態を図６１に示す。複数の発光管部１ａ〜１ｅを備える光源１の周囲を反射鏡（図示せず）で覆っている照明器具において、複数の発光管部１ａ〜１ｅはランプ中心Ｐの周りに略環状に配置するとともに、ランプ中心Ｐにも発光管部１ｆを設けている。実施の形態では発光管部１ａ〜１ｆが連結部５７で連なっている。５８は口金基台である。なお、器具本体その他の照明器具の構成は上記実施の形態に記載の構成と同様である。
【０１５５】
発光管部１ａ〜１ｅ間の隙間から発光管部１ｆの光が出るので、光の筋が照射面に出ない。
【０１５６】
【発明の効果】
請求項１記載の照明器具によれば、アルミ蒸着や銀蒸着等により高い正反射率で拡散反射率が低い鏡面仕上げをした反射板を備え、多灯管を備えるコンパクト形蛍光灯を使用した照明器具の場合でも、補助反射板により、光が出ないランプの管と管の間が照射面に筋となって生じることが低滅できる。また人の視線に近い位置であるため非常に視覚的にわかりやすい壁面を照明する場合も、光が出ないランプの管と管の間が照射面に筋となって生じることが低滅できる。さらに従来はランプからの反射光でランプに返っていた光がランプ管と管の間を通過するので器具効率が向上する。
【０１５７】
請求項２記載の照明器具によれば、請求項１と同様な効果がある。
【図面の簡単な説明】
【図１】この発明の第１の実施の形態の半断面側面図である。
【図２】その底面図である。
【図３】（ａ）は図１のＡ−Ａ′線断面図、（ｂ）はその部分拡大図である。
【図４】補助反射面への入射および反射の光線を示す説明図である。
【図５】（ａ）は第２の実施の形態の横断面図、（ｂ）はその部分拡大図である。
【図６】その補助反射面への入射および反射の光線を示す説明図である。
【図７】（ａ）は第３の実施の形態の横断面図、（ｂ）はその部分拡大図である。
【図８】その補助反射面への入射および反射の光線を示す説明図である。
【図９】（ａ）は第４の実施の形態の横断面図、（ｂ）はその部分拡大図である。
【図１０】その補助反射面への入射および反射の光線を示す説明図である。
【図１１】（ａ）は第５の実施の形態の横断面図、（ｂ）はその部分拡大図である。
【図１２】その補助反射面への入射および反射の光線を示す説明図である。
【図１３】（ａ）は第６の実施の形態の横断面図、（ｂ）はその部分拡大図である。
【図１４】その補助反射面への入射および反射の光線を示す説明図である。
【図１５】（ａ）は第７の実施の形態の横断面図、（ｂ）はその部分拡大図である。
【図１６】その補助反射面への入射および反射の光線を示す説明図である。
【図１７】（ａ）は第８の実施の形態の横断面図、（ｂ）はその部分拡大図である。
【図１８】その補助反射面への入射および反射の光線を示す説明図である。
【図１９】（ａ）は第９の実施の形態の横断面図、（ｂ）はその部分拡大図である。
【図２０】その補助反射面への入射および反射の光線を示す説明図である。
【図２１】（ａ）は第１０の実施の形態の横断面図、（ｂ）はその部分拡大図である。
【図２２】その補助反射面への入射および反射の光線を示す説明図である。
【図２３】（ａ）は第１１の実施の形態の横断面図、（ｂ）はその部分拡大図である。
【図２４】その補助反射面への入射および反射の光線を示す説明図である。
【図２５】（ａ）は第１２の実施の形態の横断面図、（ｂ）はその部分拡大図である。
【図２６】その補助反射面への入射および反射の光線を示す説明図である。
【図２７】（ａ）は第１３の実施の形態の横断面図、（ｂ）はその部分拡大図である。
【図２８】その補助反射面への入射および反射の光線を示す説明図である。
【図２９】（ａ）は第１４の実施の形態の横断面図、（ｂ）はその部分拡大図である。
【図３０】その補助反射面への入射および反射の光線を示す説明図である。
【図３１】第１５の実施の形態の半断面側面図である。
【図３２】（ａ）は反射板の平面図、（ｂ）は側面図である。
【図３３】その補助反射板を取付けた状態を示し、（ａ）は平面図、（ｂ）は側面図である。
【図３４】第１５の実施の形態の断面図である。
【図３５】第１６の実施の形態の断面図である。
【図３６】第１７の実施の形態の断面図である。
【図３７】第１８の実施の形態の断面図である。
【図３８】第１９の実施の形態の断面図である。
【図３９】第２０の実施の形態の断面図である。
【図４０】第２１の実施の形態の断面図である。
【図４１】第２２の実施の形態の断面図である。
【図４２】第２３の実施の形態の断面図である。
【図４３】第２４の実施の形態の断面図である。
【図４４】第２５の実施の形態の断面図である。
【図４５】第２６の実施の形態の断面図である。
【図４６】第２７の実施の形態の断面図である。
【図４７】第２８の実施の形態の断面図である。
【図４８】第２９の実施の形態を示し、（ａ）はその半断面側面図、（ｂ）はその半断面側面図である。
【図４９】図４８（ｂ）の拡大断面図である。
【図５０】第３０の実施の形態の断面図である。
【図５１】その光線の説明図である。
【図５２】第３１の実施の形態を示し、（ａ）は光源の平面図、（ｂ）はその部分拡大図である。
【図５３】第３２の実施の形態を示し、（ａ）は光源の平面図、（ｂ）はその部分拡大図である。
【図５４】その光線の説明図である。
【図５５】第３３の実施の形態を示し、（ａ）は光源の平面図、（ｂ）はその部分拡大図である。
【図５６】その光線の説明図である。
【図５７】第３４の実施の形態を示し、（ａ）は光源の平面図、（ｂ）はその部分拡大図である。
【図５８】その光線の説明図である。
【図５９】第３５の実施の形態を示し、（ａ）は光源の平面図、（ｂ）はその部分拡大図である。
【図６０】その光線の説明図である。
【図６１】第３６の実施の形態を示し、（ａ）は光源の平面図、（ｂ）は斜視図である。
【図６２】従来例の半断面側面図である。
【図６３】その底面図である。
【図６４】その光線の説明図である。
【図６５】別の従来例のウォールウォッシャタイプの半断面側面図である。
【図６６】その光線の説明図である。
【図６７】発光管部間の隙間を通る光線を説明する光源の平面図である。
【符号の説明】
１    光源
１ａ〜１ｆ    発光管部
２    反射鏡
３    補助反射面
６    器具本体
Ｐ    ランプ中心
Ｈ    隙間
【図１】
0004029564.tif 000002
【図２】
0004029564.tif 000003
【図３】
0004029564.tif 000004
【図４】
0004029564.tif 000005
【図５】
0004029564.tif 000006
【図６】
0004029564.tif 000007
【図７】
0004029564.tif 000008
【図８】
0004029564.tif 000009
【図９】
0004029564.tif 000010
【図１０】
0004029564.tif 000011
【図１１】
0004029564.tif 000012
【図１２】
0004029564.tif 000013
【図１３】
0004029564.tif 000014
【図１４】
0004029564.tif 000015
【図１５】
0004029564.tif 000016
【図１６】
0004029564.tif 000017
【図１７】
0004029564.tif 000018
【図１８】
0004029564.tif 000019
【図１９】
0004029564.tif 000020
【図２０】
0004029564.tif 000021
【図２１】
0004029564.tif 000022
【図２２】
0004029564.tif 000023
【図２３】
0004029564.tif 000024
【図２４】
0004029564.tif 000025
【図２５】
0004029564.tif 000026
【図２６】
0004029564.tif 000027
【図２７】
0004029564.tif 000028
【図２８】
0004029564.tif 000029
【図２９】
0004029564.tif 000030
【図３０】
0004029564.tif 000031
【図３１】
0004029564.tif 000032
【図３２】
0004029564.tif 000033
【図３３】
0004029564.tif 000034
【図３４】
0004029564.tif 000035
【図３５】
0004029564.tif 000036
【図３６】
0004029564.tif 000037
【図３７】
0004029564.tif 000038
【図３８】
0004029564.tif 000039
【図３９】
0004029564.tif 000040
【図４０】
0004029564.tif 000041
【図４１】
0004029564.tif 000042
【図４２】
0004029564.tif 000043
【図４３】
0004029564.tif 000044
【図４４】
0004029564.tif 000045
【図４５】
0004029564.tif 000046
【図４６】
0004029564.tif 000047
【図４７】
0004029564.tif 000048
【図４８】
0004029564.tif 000049
【図４９】
0004029564.tif 000050
【図５０】
0004029564.tif 000051
【図５１】
0004029564.tif 000052
【図５２】
0004029564.tif 000053
【図５３】
0004029564.tif 000054
【図５４】
0004029564.tif 000055
【図５５】
0004029564.tif 000056
【図５６】
0004029564.tif 000057
【図５７】
0004029564.tif 000058
【図５８】
0004029564.tif 000059
【図５９】
0004029564.tif 000060
【図６０】
0004029564.tif 000061
【図６１】
0004029564.tif 000062
【図６２】
0004029564.tif 000063
【図６３】
0004029564.tif 000064
【図６４】
0004029564.tif 000065
【図６５】
0004029564.tif 000066
【図６６】
0004029564.tif 000067
【図６７】
0004029564.tif 000068